(57)【特許請求の範囲】
【請求項１】
歩数を表示する表示部と、
前記表示部を覆う開閉可能な蓋と、
前記蓋が開いた状態を検出する蓋スイッチと、
前記蓋が開いている間は、カウントした歩数が無効とされる歩数カウンタと、
を有する歩数計。
【請求項２】
前記蓋が開いている間、前記表示部を照らすライトを更に有する請求項１記載の歩数計。
【請求項３】
歩数を表示する表示部と、
前記表示部を覆う開閉可能な蓋と、
前記蓋が開いた状態を検出する蓋スイッチと、
入力される歩数の信号が連続的であるか否かを判別する判別手段と、
前記蓋が開いており且つ前記信号が連続的ではないと判別された間は、カウントした歩数が無効とされる歩数カウンタと、
を有する歩数計。
【請求項４】
歩数を表示する表示部と、
前記表示部を覆う開閉可能な蓋と、
前記蓋が開いた状態を検出する蓋スイッチと、
使用者に取り付けるためのクリップ部と、
前記クリップ部が使用者に取り付けられたことを検出するクリップスイッチと、
前記蓋が開いている間又は前記クリップ部が使用者に取り付けられていない間は、カウントした歩数が無効とされる歩数カウンタと、
を有する歩数計。
【請求項５】
歩数を含む所定の情報を表示する表示部と、
前記表示部を覆う開閉可能な蓋と、
前記蓋が開いた状態を検出する蓋スイッチと、
前記蓋が開いている間、前記表示部に表示される前記所定の情報を一定時間毎に切り替えて表示させる表示切り替え手段と、
を有する歩数計。
【発明の詳細な説明】
【０００１】
【発明の属する技術分野】
この発明は、歩数の表示部を覆う蓋を備えた歩数計に関し、詳しくは、使用中の誤カウントを防止して精度良く歩数をカウントできる歩数計に関する。
【０００２】
【従来の技術】
従来から歩行した際に歩数を計測する歩数計として、開閉可能な蓋を備えたものが知られている。蓋を設けることにより、歩数計が落下等した場合でも表示部などを保護することができる。
【０００３】
【発明が解決しようとする課題】
しかしながら、蓋付きの歩数計では、次のような問題点があった。
（１）計測した歩数の表示を見るために蓋を開くと、その際に生じる振動によって歩数がカウントされてしまい、また、ユーザが表示内容の条件設定をボタン操作によって変更する場合にも、その際に生じる振動によって誤カウントが発生する。
（２）更に、夜間や暗い場所などで計測した歩数の表示を見る際には、蓋を開き、ライトボタンを押すという２回の操作が必要となるが、これらの操作の際に生じる振動により歩数が誤カウントされてしまう。これと同様に、音声で情報を伝達する歩数計においても、蓋を開き、音声用のボタンを押すという２回の操作が必要となり、これらの操作の際に生じる振動により歩数が誤カウントされてしまう。
（３）また、近時の歩数計においては、歩数のデータのみならず、歩行距離、歩数に応じたカロリー消費量、目標歩行数、目標のカロリー消費量など多種の情報を表示できる多機能型の歩数計が開発されている。このような、多機能型の歩数計では、多種の情報を切り替えて表示させるため、複雑な操作が必要となっていた。特に、歩行中にこのような切り替え操作を行うことは非常に困難であった。
【０００４】
【課題を解決するための手段】
上記のような観点から、この発明は、歩数を表示する表示部と、前記表示部を覆う開閉可能な蓋と、前記蓋が開いた状態を検出する蓋スイッチと、前記蓋が開いている間、カウントした歩数が無効とされる歩数カウンタとを有する歩数計である。この発明によればユーザが蓋を開いている状態でのカウントを無効にすることで、蓋を開く際の振動や歩行以外の振動によって歩数が増加（誤カウント）してしまうことを抑止できる。
【０００５】
この発明は、前記蓋が開いている間、前記表示部を照らすライトを更に有する歩数計である。蓋が開いている間、表示部をライトで照射することにより視認性を高めることができる。
【０００６】
この発明は、歩数を表示する表示部と、前記表示部を覆う開閉可能な蓋と、前記蓋が開いた状態を検出する蓋スイッチと、入力される歩数の信号が連続的であるか否かを判別する判別手段と、前記蓋が開いており且つ前記信号が連続的ではない間、カウントした歩数が無効とされる歩数カウンタとを有する歩数計である。蓋が開いている場合であっても、連続的な歩数カウントの信号が発生している場合は歩行していると判断し、歩数カウンタのカウント数を加算することで、誤カウントを更に防止できる。
【０００７】
この発明は、歩数を表示する表示部と、前記表示部を覆う開閉可能な蓋と、前記蓋が開いた状態を検出する蓋スイッチと、使用者に取り付けるためのクリップ部と、前記クリップ部が使用者に取り付けられたことを検出するクリップスイッチと、前記蓋が開いている間又は前記クリップ部が使用者に取り付けられていない間、カウントした歩数が無効とされる歩数カウンタとを有する歩数計である。このようにすれば、蓋が開かれている場合であっても、歩数計がユーザに装着されている場合には、歩数カウントを無効とすることなく正確に歩数を計測できる。
【０００８】
この発明は、歩数を含む所定の情報を表示する表示部と、前記表示部を覆う開閉可能な蓋と、前記蓋が開いた状態を検出する蓋スイッチと、前記蓋が開いている間、前記表示部に表示される前記所定の情報を一定時間毎に切り替えて表示させる表示切り替え手段とを有する歩数計である。一定時間毎に各表示内容を切り替えることにより、多機能型の歩数計であっても、複雑な操作を行うことなく多種の表示内容を切り替えることができる。
【０００９】
【発明の実施の形態】
以下、この発明につき図面を参照しつつ詳細に説明する。なお、以下の実施の形態によりこの発明が限定されるものではない。
【００１０】
実施の形態１．
図１は、この発明の実施の形態１にかかる蓋付き歩数計を示す説明図であり、（ａ）は蓋２を閉じた状態の正面図を、（ｂ）は歩数計の左側面図、（ｃ）は（ａ）の状態から蓋２を開いて表示部３を露出させた状態を示す。この歩数計は、歩数の他に歩行距離、カロリー消費量など多種の情報を表示する多機能型の歩数計である。なお、同図に示す歩数計の構成は、後述する実施の形態１以降の各実施の形態においても同様のものとする。
【００１１】
この歩数計は、本体１、蓋２、本体１に設けられた表示部３を有して構成されており、蓋２を開くと本体１の表示部３が露出する。本体１の表示部３の横には操作ボタン４、５、６が設けられている。操作ボタン４、５、６は表示内容の設定、表示内容の変更、ユーザ情報（ユーザの身長、体重など）の入力等を行うために用いられる。
【００１２】
蓋２の表側にはクリップ部７が設けられている。クリップ部７を腰のベルト等に挟むことにより、ユーザが歩数計を身体に固定する。クリップ部７にはクリップスイッチが設けられている。クリップスイッチは、例えばクリップ部７の先端に取り付けられた電極と蓋２に設けられた電極間の導通のＯＮ／ＯＦＦを検出するスイッチであって、クリップスイッチによって歩数計がユーザの身体に装着されているか否かを検出できる。
【００１３】
本体１と蓋２の間には蓋開閉スイッチ８が設けられている。蓋開閉スイッチ８は、蓋２が開いているか否かを検出するスイッチであり、凸状のスイッチ８と蓋２の接触状態から蓋２の開閉状態を検出する。なお、蓋開閉スイッチ８を設けずに、操作ボタン４、５、６の１つを用いて蓋の開閉状態を検出するようにしてもよい。
【００１４】
実施の形態１にかかる歩数計は、蓋開閉スイッチ８から検出される蓋２の開閉状態に応じて、歩数カウントを無効とするようにしている。すなわち、図１（ａ）に示すように、蓋２が閉じられている状態では、通常通り歩数をカウントし、その間にカウントした歩数を記憶していく。一方、図１（ｂ）に示すように、蓋２が開いている状態では、その間の歩数のカウントを無効とするようにしている。
【００１５】
これにより、ユーザが蓋２を開いた場合に発生する振動によって歩数が増加して誤カウントが発生することを抑止できる。また、蓋２を開いた状態でユーザが操作ボタン５、６、７を操作した場合にも、その際の振動によって歩数が誤カウントされるてしまうことを抑止できる。
【００１６】
図２は、上記歩数計の機能ブロック図である。各機能ブロックは、例えば歩数計が内蔵するＣＰＵ、ＲＡＭ、ＲＯＭからなるシステムにより実現される。蓋開閉スイッチ８の信号は蓋開閉スイッチ入力部１０へ入力され、蓋開閉スイッチ監視部１１へ送られる。そして、蓋２が開状態、閉状態のいずれの状態にあるかが蓋開閉スイッチ監視部１１で検出される。
【００１７】
一方、歩数カウント入力部１３には、ユーザの歩行に伴う振動から検出された歩数が入力される。そして、歩数カウント入力部１３に入力された歩数は歩数カウント制御部１２へ送られる。歩数カウント制御部１２では、蓋開閉スイッチ監視部１１から送られた蓋２の開閉状態の情報に基づいて歩数カウンタ１４に歩数を加算する。この際、蓋２が閉じている状態であれば歩数カウント入力部１３から送られた歩数をそのまま歩数カウンタ１４に加算する。一方、蓋２が開いている場合には、その間に歩数カウント入力部１３から送られた歩数のカウントを無効にし、歩数カウンタ１４への歩数の加算は行わない。歩数カウンタ１４に加算された歩数の合計は表示部３に表示される。
【００１８】
次に、上記歩数計の動作手順を図３のフローチャートに基づいて説明する。先ず、ステップＳ１では、歩数カウント入力要因が発生しているか否かを判断する。ユーザが歩行している場合など、歩数計に所定の振動が与えられている場合には、歩数カウント入力要因が発生しているため、ステップＳ２へ進む。歩数カウント入力要因が発生していない場合はステップＳ１へ戻り、歩数カウント入力要因が発生するまで待機状態となる。歩数カウント入力要因が発生しているか否かの判断は、図２の歩数カウンタ入力部１３から歩数情報を受ける歩数カウント制御部１２が行う。
【００１９】
ステップＳ２では、蓋２が開いているか否かを判別する。この判別は図２の蓋開閉スイッチ監視部１１で行う。蓋２が閉じている場合にはステップＳ３へ進み、歩数カウンタ１４へカウント数を加算する。一方、蓋２が開いている場合には、蓋２を開いた際の振動、蓋２を開いている間の操作による振動など実際の歩行以外の振動によって歩数カウンタ入力要因が発生していると判断し、歩数カウンタのカウント数を増やさずにステップＳ１へ戻る。以上のステップＳ３の処理は図２の歩数カウント制御部１２で行う。
【００２０】
以上説明したように実施の形態１によれば、ユーザが蓋２を開いた場合に発生する振動によって歩数が増加してしまうことを抑止できる。また、蓋２を開いた状態でユーザが操作ボタン５、６、７を操作するなど、歩行以外の要因で歩数計に振動が与えられた場合にも、歩数が誤カウントされてしまうことを防止できる。
【００２１】
実施の形態２．
実施の形態２に係る歩数計では、蓋２が開かれ且つ歩数カウントの信号が連続的に入力されていない場合に歩数カウントを無効にする。なお、実施の形態２に係る歩数計の機能ブロックは、図２に示した実施の形態１の機能ブロックと同様であり、歩数カウント入力部１３から受けた信号に基づいて、歩数カウント制御部１２が歩数カウントの信号が連続的であるか否かを判別する。
【００２２】
以下、図４のフローチャートに基づいて、実施の形態２に係る歩数計の処理手順を説明する。先ず、ステップＳ２１では、歩数カウント入力要因が発生しているか否かを判断する。歩数カウント入力要因が発生している場合には、ステップＳ２２へ進む。歩数カウント入力要因が発生していない場合はステップＳ２１へ戻り、歩数カウント入力要因が発生するまで待機状態となる。ステップＳ２２では、蓋２が開いているか否かを判別する。この判別は図２の蓋開閉スイッチ監視部１１で行う。蓋２が閉じている場合にはステップＳ２３へ進み、歩数カウンタ１４のカウント数を加算する。
【００２３】
蓋２が開いている場合はステップＳ２４へ進み、入力されている歩数カウントの信号が連続的な信号か否かを判別する。連続的な信号であるか否かを判別する際には、所定時間内にある回数以上（例えば１０回以上）の信号が発生しているか、入力されている信号の間隔が歩行による信号の間隔と同程度であるか等の基準に基づいて行う。入力信号が連続的な信号の場合には、歩行中にユーザが蓋２を開いたと判断し、ステップＳ２３へ進んで歩数カウンタ１４のカウント数を加算する。入力信号が連続的でない場合は、ステップＳ２１へ戻る。
【００２４】
このように、蓋２が開いている場合であっても、連続的な歩数カウントの信号が発生している場合は歩数カウンタ１４のカウント数を加算するため、歩行中に蓋２が開かれた場合であっても正確な歩数カウントを行うことができる。なお、蓋２が開かれている間、歩数カウンタ１４の加算を行い、表示部３には加算後の値をその都度表示しないようにしてもよい。これにより、表示内容が固定されるため、情報の確認が容易となる。この場合においても、ユーザが操作ボタン４、５、６を操作することにより、歩数カウンタ１４に加算された実際の歩数を表示できる。
【００２５】
実施の形態３．
実施の形態３に係る歩数計は、ユーザが蓋２を開いた場合に、歩数、カロリー消費量などの表示内容を一定時間毎（例えば５秒毎）に切り替えて表示部３に表示するようにしたものである。多機能型の歩数計では、歩数データの他、歩行距離、歩数に応じたカロリー消費量、目標歩行数、目標のカロリー消費量、これらのデータのグラフ表示など多種の情報を表示する。これらの表示内容の切り替えは操作ボタン４、５、６を操作することによって手動で切り替えることもできるが、歩行中に操作ボタンを操作することは比較的難しい。
【００２６】
実施の形態３では、蓋２が開かれ、且つ連続表示が指示されている場合には、一定時間毎に各表示内容を切り替えるようにしている。これにより、歩行中においても、複雑な操作を行うことなく必要な情報を短時間で認識することが可能となる。
【００２７】
以下、図５のフローチャートに基づいて、実施の形態３に係る歩数計の処理手順を説明する。先ず、ステップＳ３１では、蓋２が開いているか否かを判別する。この判別は図２の蓋開閉スイッチ監視部１１で行う。蓋２が閉じている場合にはステップＳ３１へ戻る。
【００２８】
蓋２が開いている場合はステップＳ３２へ進み、連続表示切り替えが指示されているか否かを判別する。連続表示切り替えが指示されている場合には、ステップＳ３３へ進み、歩数、歩行距離、カロリー消費量など多種の表示内容を一定時間毎に切り替えて表示部３に表示する。ステップＳ３２で連続表示切り替えが指示されていない場合には、ステップＳ３１へ戻る。連続表示切り替えの設定は、予め歩数計に記憶させておいてもよいし、蓋２を開いた直後にユーザが操作ボタン４、５、６の１つを１回操作することによって設定してもよい。表示を切り替える手段は、歩数計が内蔵するＣＰＵ、ＲＡＭ、ＲＯＭからなるシステムにより実現され、切り替える手段により切り替えられた表示内容が表示部３に表示される。
【００２９】
実施の形態４．
図６は、実施の形態４に係る歩数計の機能ブロック図である。この歩数計は、実施の形態１と同様に蓋２を開いた状態で歩数カウントを無効とし、更に、蓋２を開いた状態で表示部３にライトを発光させるようにしたものであり、その構成は、図２に示した実施の形態１の歩数計にライト制御部２１、ライト発光部２２を更に付加したものである。
【００３０】
ライト制御部２１では、蓋開閉スイッチ監視部１１から蓋２が開閉しているか否かの情報を受け、蓋２が開いている場合にはライト発光部２２に対してライトを発光する旨の命令を送る。これにより、表示部３を照射するライトが発光し、暗闇の中でも表示部３の視認性が向上する。一方、蓋２が閉じている旨の情報をライト制御部２１が受けた場合には、ライト発光部２２に対してライトを発光させる旨の命令は送られない。これにより、蓋２が開かれている場合は歩数カウントを無効にして誤カウントの発生を抑えることができ、且つ表示部３をライトで照射することにより表示部の視認性を高めることができる。
【００３１】
次に、上記歩数計の動作を図７のフローチャートに基づいて説明する。先ず、ステップＳ４１では、歩数カウント入力要因が発生しているか否かを判断する。歩数カウント入力要因が発生している場合には、ステップＳ４２へ進む。歩数カウント入力要因が発生していない場合はステップＳ４１へ戻り、歩数カウント入力要因が発生するまで待機状態となる。
【００３２】
ステップＳ４２では、蓋２が開いているか否かを判別する。この判別は図６の蓋開閉スイッチ監視部１１で行う。蓋２が開いている場合には、実際の歩行以外の振動によって歩数カウンタ入力要因が発生していると判断し、歩数カウンタ１４を増加させることなくステップＳ４３へ進み、表示部３を照らすライトを点灯する。一方、蓋２が開いている場合には、ステップＳ４４へ進み歩数カウンタ１４のカウント数を加算する。
【００３３】
なお、実施の形態４では、蓋２を開いた場合に、音声で歩数など所定の情報を知らせるようにしてもよい。この場合には、図６の機能構成ブロックにおいて、ライト制御部２１の代わりに音声制御部を、ライト発光部２２の代わりに音声放音部をそれぞれ設け、蓋２が開いた状態を検出すると、音声制御部から音声放音部に対して所定の情報を放音する旨の命令を送るようにする。そして、図７のステップＳ４３において、ライトを発光する代わりに音声を発するようにする。
【００３４】
実施の形態５．
実施の形態５に係る歩数計では、実施の形態１と同様に蓋２を開いた状態で歩数カウントを無効にするとともに、ユーザが歩数計を身体から取り外した場合にも歩数カウントを無効にする。図８は、実施の形態５に係る歩数計の機能構成を示すブロック図である。当該歩数計の構成は、図２の実施の形態１に係る歩数計にクリップスイッチ入力部３０、クリップスイッチ監視部３１を更に付加したものである。
【００３５】
クリップスイッチ入力部３０には、図１で説明したクリップ部７のクリップスイッチの信号が入力される。そして、クリップスイッチ入力部３０に入力された情報はクリップスイッチ監視部３１へ送られ、歩数計がユーザの身体に装着されている否かがクリップスイッチ監視部３１で検出される。蓋２の開閉に関する情報は、蓋開閉スイッチ監視部１１から歩数カウント制御部１２に送られる。また、歩数計がユーザの身体に装着されているか否かの情報はクリップスイッチ監視部３１から歩数カウント制御部１２に送られる。
【００３６】
歩数カウント制御部１２では、蓋２が閉じている状態、若しくは歩数計がユーザの身体に装着されている状態の少なくとも一方の状態を検出すると、歩数カウント入力部１３から送られた歩数を歩数カウンタ１４に加算していく。一方、蓋２が開いている状態、若しくは歩数計がユーザの身体に装着されていない状態の少なくとも一方の状態を検出すると、蓋２が開いている間、歩数計がユーザの身体に装着されていない間に送られた歩数カウントを無効とし、歩数カウンタ１４への加算は行わない。これにより、蓋２が開かれている場合であっても、歩数計がユーザに装着されている場合には、歩数カウントを無効とすることなく正確に歩数を計測することができる。
【００３７】
次に、実施の形態５の歩数計の動作を図９のフローチャートに基づいて説明する。先ず、ステップＳ５１では、歩数カウント入力要因が発生しているか否かを判断する。歩数カウント入力要因が発生している場合には、ステップＳ５２へ進む。歩数カウント入力要因が発生していない場合はステップＳ５１へ戻り、歩数カウント入力要因が発生するまで待機状態となる。
【００３８】
ステップＳ５２では、蓋２が開いているか否かを判別する。この判別は図８の蓋開閉スイッチ監視部１１で行う。ステップＳ５２で蓋２が閉じている場合は、ステップＳ５３へ進み、歩数計がユーザの身体に装着されている否かを判別する。一方、蓋２が開いている場合には、ステップＳ５１へ戻る。
【００３９】
ステップＳ５３で歩数計がユーザに装着されている場合は、ステップＳ５４へ進んで歩数カウンタ１４のカウント数を加算する。ステップＳ５３で歩数計がユーザに装着されていない場合は、歩数カウント入力要因が歩行によるものでないと判断し、歩数カウンタ１４のカウント数を増やさずにステップＳ５１へ戻る。このステップＳ５２、Ｓ５３、Ｓ５４の処理は、図８の蓋開閉スイッチ監視部１１、クリップスイッチ監視部３１、歩数カウント制御部１２で行う。
【００４０】
【発明の効果】
以上説明したように、この発明の歩数計では、蓋が開いている間、カウントした歩数を無効とすることにより、ユーザが蓋を開いた場合に発生する振動によって歩数が増加することを抑止でき、また、歩行以外の要因で歩数が増加することを抑止できる。従って、誤カウントの発生を抑えた高精度の歩数計を提供できる。
【００４１】
また、蓋が開いている間、表示部をライトで照射することにより、表示部の視認性を高めることができ、暗闇の中でも確実に表示内容を認識できる。
【００４２】
また、蓋が開いている場合であっても、連続的な歩数カウントの信号が発生している場合は、歩数カウンタのカウント数を加算できるようにしたため、歩行中に蓋が開かれた場合であっても正確に歩数をカウントすることができる。
【００４３】
また、蓋が開いている間又はクリップ部が使用者に取り付けられていない間の歩数カウントを無効とすることにより、蓋が開かれている場合であっても、歩数計がユーザに装着されている場合には、歩数カウントを無効とすることなく正確に歩数を計測できる。
【００４４】
また、表示部に表示される所定の情報を一定時間毎に切り替えて表示させることにより、多機能型の歩数計であっても、複雑な操作を行うことなく表示内容を切り替えることができ、歩行中であっても多種の情報を短時間で得ることができる。
【図面の簡単な説明】
【図１】この発明の実施の形態１にかかる蓋付き歩数計を示す模式図である。
【図２】実施の形態１に係る歩数計を示す機能ブロック図である。
【図３】実施の形態１に係る歩数計の処理手順を示すフローチャートである。
【図４】実施の形態２に係る歩数計の処理手順を示すフローチャートである。
【図５】実施の形態３に係る歩数計の処理手順を示すフローチャートである。
【図６】実施の形態４に係る歩数計に係る機能ブロック図である。
【図７】実施の形態４に係る歩数計の処理手順を示すフローチャートである。
【図８】実施の形態５に係る歩数計を示す機能ブロック図である。
【図９】実施の形態５に係る歩数計の処理手順を示すフローチャートである。
【符号の説明】
１  本体
２  蓋
３  表示部
４、５、６  操作ボタン
７  クリップ部
８  蓋開閉スイッチ
１０  蓋開閉スイッチ入力部
１１  蓋開閉スイッチ監視部
１２  歩数カウント制御部
１３  歩数カウント入力部
１４  歩数カウンタ
２１  ライト制御部
２２  ライト発光部
３０  クリップスイッチ入力部
３１  クリップスイッチ監視部
【図１】
0004851665.tif 000002
【図２】
0004851665.tif 000003
【図３】
0004851665.tif 000004
【図４】
0004851665.tif 000005
【図５】
0004851665.tif 000006
【図６】
0004851665.tif 000007
【図７】
0004851665.tif 000008
【図８】
0004851665.tif 000009
【図９】
0004851665.tif 000010